(57)【要約】【課題】挟着具のずれや弛みが発生するおそれがなく安定した状態を維持でき、なおかつ複数の屋根上取付具の上に取り付けた屋根上取付物の負荷によって挟着具が傾いたり抜けたりするおそれのない屋根上取付具および屋根上取付具の取付構造を提供する。【解決手段】屋根上取付具Ａは、挟着片１３を固定するリング体３０をさらに備えるとともに、一対の挟着片１３、１３のそれぞれの先端部には、相互に対向する噛合凹部１４ａを有した半筒片１４が起立形成されており、一対の半筒片１４、１４は、両噛合凹部１４ａ、１４ａでボルト体Ｂの雄ネジ部Ｂ１を挟持、噛合する構造とされ、半筒片１４のボルト体Ｂへの挟持によってできた筒状体の外周胴部に、リング体３０が嵌着されてボルト体Ｂに固定されている。【選択図】図１
2011231521.tif 000002
【特許請求の範囲】
【請求項１】
先端同士が対向する一対の挟着片を下部に設けた略門形の挟着具を備えてなり、該挟着具の一対の挟着片を相互に近接させ、波形屋根の頂部より突出したボルト体に挟着、固定するようにした屋根上取付具において、
上記挟着片を固定するリング体をさらに備えるとともに、
上記一対の挟着片のそれぞれの先端部には、相互に対向する噛合凹部を有した半筒片が起立形成されており、
上記一対の半筒片は、両噛合凹部で上記ボルト体の雄ネジ部を挟持、噛合する構造とされ、上記半筒片の上記ボルト体への挟持によってできた筒状体の外周胴部に、上記リング体が嵌着されて上記ボルト体に固定されることを特徴とする屋根上取付具。
【請求項２】
請求項１において、
上記半筒片のすくなくとも一方の外周胴部には突部が形成されている一方、上記リング体の内周部には上記突部を嵌挿可能な突部嵌挿切欠きが形成されている屋根上取付具。
【請求項３】
請求項１または２において、
上記挟着具は、上記挟着片を下端に折曲形成させた脚片と、該脚片を両端に有した上板とを含んで一体形成され、該一対の脚片を緊締することで上記一対の挟着片を近接させる構造としている屋根上取付具。
【請求項４】
請求項１または２において、
上記挟着具は、上記挟着片がそれぞれの下端に折曲形成された一対の挟着部材を開閉自在に連結して構成されている屋根上取付具。
【発明の詳細な説明】
【技術分野】
【０００１】
本発明は、波形屋根の頂部より突出したボルト体に挟着させて屋根上に取り付けるようにした屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類を配設することが実施されており、従来には、各種機器・部材類を屋根上に取り付けるための種々の屋根上取付具が提案されている（例えば、特許文献１参照）。
【０００３】
特に、山部と谷部とが交互に連続してなる波形屋根における山部の頂部で、隣接する屋根材同士を重ねてなる重合部をボルト体とナットの螺着によって連結、固定した構造のものでは、重合部を屋根の下方より貫通して屋根上に突出された、屋根材連結のためのボルト体の雄ネジ部を、先端が相対向する挟着片で挟み込んで固定する構造とした屋根上取付具も提案されている。
【０００４】
この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。そのため、挟着片の先端がボルト体のネジ溝に食い込んだ状態で固定されるので、屋根上取付具が容易に外れるおそれはない。
【０００５】
また、特許文献１のものは、挟着具が支点連結された一対の挟着部材より構成され、ハゼ部に対して挟着する構造となっているが、この種のものを、両挟着片をボルト体に挟着させる構造に適用させた場合でも、同様に、屋根上取付具が容易に外れるおそれはない。
【先行技術文献】
【特許文献】
【０００６】
【特許文献１】特許第３３６８３７４号
【発明の概要】
【発明が解決しようとする課題】
【０００７】
しかしながら、ボルト体への挟着によって装着させる方式の屋根上取付具の場合、次のような問題があった。
【０００８】
図１１は、挟着によって装着するようにした従来の屋根上取付具の波形屋根への取付例の２例を示す概略説明図であり、図１１（ａ）は波形屋根Ｙの側端縁の山部Ｙ１の頂部Ｙ１ａにおけるハゼ式接合構造により形成されたハゼ部Ｄの脚部Ｅ１への挟着例であり、図１１（ｂ）は重ね式接合構造におけるボルト体Ｂの軸部Ｂ１への挟着例である。いずれも、各屋根上取付具の上方に屋根上取付物（各種機器・部材類）の一つである遮熱シート１１０を固定して取り付けた例であり、２例とも、同種、同構造の屋根上取付具（挟着具１００）を使用している。なお、図１１（ａ）、（ｂ）に示した屋根上取付具の取付例は、頂部Ｙ１ａに対する取付態様（向き）が異なるものである。
【０００９】
図例のように遮熱シート１１０を複数の挟着具１００に固定して張り渡した場合、例えば遮熱シート１１０上に積雪した場合に雪Ｓの重みによって遮熱シート１１０の両側に配された屋根上取付具（挟着具１００）が中央に引っ張られて、ハゼ部Ｅやボルト体Ｂに挟着した挟着片１０１が傾斜しながらずり上がるおそれがある。また、遮熱シート１１０が雨水等により湿気を帯び、その後乾燥した場合には遮熱シート１１０が収縮することがあり、その場合にも同様の現象が生じるおそれがある。
【００１０】
この場合、ハゼ部Ｅへ装着した挟着具１００は、多少のずれや傾きが生じるおそれはあるもののハゼ部Ｅの上部が横方向に突出しているため、挟着具１００がハゼ部Ｅから抜け出るおそれはほとんどないが（図１１（ａ）参照）、ボルト体Ｂへ装着したものでは、強力な引っ張り力によって挟着具１００が徐々に傾いていき、挟着片１０１の先端がボルト体Ｂの軸部Ｂ１をずり上がりながら外れてしまうおそれがある（図１１（ｂ）参照）。
【００１１】
また、ボルト体Ｂへの挟着により装着させる屋根上取付具の場合、ボルト体Ｂ止めのためのナット（図示省略）を頂部Ｙ１ａの上面に配する必要があるから、挟着具１００を取り付けた際には脚片や挟着片１０１が頂部Ｙ１ａから浮いた状態となり、挟着具１００が回転したりぐらついたりするおそれもあった。
【００１２】
したがって、このようなボルト体Ｂへの挟着によって装着させる方式の屋根上取付具では、外力による挟着具の傾き、ずり上がり等のずれや、回転、ぐらつき等の弛みが発生しにくい構造のものが必要とされていた。
【００１３】
本発明は、このような事情を考慮して提案されたもので、その目的は、挟着具のずれや弛みが発生するおそれがなく安定した状態を維持でき、なおかつ複数の屋根上取付具の上に取り付けた屋根上取付物の負荷によって挟着具が傾いたり抜けたりするおそれのない屋根上取付具を提供することにある。
【課題を解決するための手段】
【００１４】
上記目的を達成するために、請求項１に記載の屋根上取付具は、先端同士が対向する一対の挟着片を下部に設けた略門形の挟着具を備えてなり、該挟着具の一対の挟着片を相互に近接させ、波形屋根の頂部より突出したボルト体に挟着、固定するようにした屋根上取付具において、挟着片を固定するリング体をさらに備えるとともに、一対の挟着片のそれぞれの先端部には、相互に対向する噛合凹部を有した半筒片が起立形成されており、一対の半筒片は、両噛合凹部でボルト体の雄ネジ部を挟持、噛合する構造とされ、半筒片のボルト体への挟持によってできた筒状体の外周胴部に、リング体が嵌着されてボルト体に固定されることを特徴とする。
【００１５】
請求項２に記載の屋根上取付具は、半筒片のすくなくとも一方の外周胴部には突部が形成されている一方、リング体の内周部には突部を嵌挿可能な突部嵌挿切欠きが形成されている。
【００１６】
請求項３に記載の屋根上取付具は、挟着具は挟着片を下端に折曲形成させた脚片と、該脚片を両端に有した上板とを含んで一体形成され、該一対の脚片を緊締することで一対の挟着片を近接させる構造としている。
【００１７】
請求項４に記載の屋根上取付具は、挟着具が挟着片がそれぞれの下端に折曲形成された一対の挟着部材を開閉自在に連結して構成されている。
【発明の効果】
【００１８】
請求項１に記載の屋根上取付具によれば、ボルト体を筒状に挟持した一対の半筒片にリング体が嵌着する構造であるため、リング体の嵌着によって一対の挟着片はボルト体より離間するおそれはなく、挟着片の挟着作用および半筒片の噛合凹部による抜け止め作用とあいまって、挟着具のボルト体への挟着力を高めることができる。そのため、挟着具のずれや弛みが発生するおそれがなく安定した状態を維持でき、なおかつ複数の屋根上取付具の上に取り付けた屋根上取付物の負荷によって挟着具が傾いたり抜けたりするおそれを回避できる。
【００１９】
請求項２に記載の屋根上取付具によれば、半筒片のすくなくとも一方の外周胴部には突部が形成されているので、リング体の内周部に形成した、突部を嵌挿可能な突部嵌挿切欠きを位置合わせしてリング体を半筒片に嵌め入れてから、回転させて位置をずらすようにすれば、嵌着後にリング体が上方へ抜け出すことをを防止できる。
【００２０】
請求項３に記載の屋根上取付具によれば、挟着具が挟着片を下端に折曲形成させた脚片と、該脚片を両端に有した上板とを含んで一体形成されているので、挟着具を頑丈かつシンプルな形状に構成できる。また、一体形成であるため、両挟着片間でずれが発生する可能性も少ない。
【００２１】
請求項４に記載の屋根上取付具によれば、挟着具が、挟着片がそれぞれの下端に折曲形成された一対の挟着部材を開閉自在に連結して構成されているため、緊締によらず、省力かつ簡易な操作で挟着片をボルト体に挟着させることができる。
【図面の簡単な説明】
【００２２】
【図１】本発明に係る屋根上取付具の第１実施形態の説明図であり、屋根上取付具の波形屋根への取り付け前の状態を示した斜視図である。
【図２】同屋根上取付具の波形屋根への取り付け後の状態を示した斜視図である。
【図３】（ａ）、（ｂ）は、同屋根上取付具の施工手順を示す部分断面正面図である。
【図４】（ｃ）、（ｄ）は、同屋根上取付具の施工手順を示す正面図である。
【図５】本発明に係る屋根上取付具の第２実施形態の説明図であり、屋根上取付具の波形屋根への取り付け前の状態を示した斜視図である。
【図６】同屋根上取付具の波形屋根への取り付け後の状態を示した斜視図である。
【図７】同屋根上取付具に使用される挟着具の分解斜視図である。
【図８】（ａ）、（ｂ）は、同屋根上取付具の施工手順を示す部分断面正面図である。
【図９】（ｃ）、（ｄ）は、同屋根上取付具の施工手順を示す正面図である。
【図１０】本発明に係る屋根上取付具の第３実施形態の説明図であり、（ａ）は同屋根上取付具に使用される挟着具の分解斜視図、（ｂ）は同屋根上取付具の施工状態を示す正面図である。
【図１１】従来の屋根上取付具の異なる態様の屋根の山部に対する装着２例を示した図であり、（ａ）はハゼ部への挟着例、（ｂ）はボルト体への挟着例を示した正面図である。
【発明を実施するための形態】
【００２３】
図１は、本発明に係る屋根上取付具の第１実施形態の説明図であり、屋根上取付具の波形屋根への取り付け前の状態を示した斜視図である。図２は、同屋根上取付具の波形屋根への取り付け後の状態を示した斜視図である。図３（ａ）、（ｂ）および図４（ｃ）、（ｄ）は、屋根上取付具の施工手順を示す部分断面正面図および正面図である。
【００２４】
本実施形態の屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２５】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＢ２の螺着によって連結した重ね式接合構造となっている。また、ボルト孔からの水の浸入を防止するために、ナットＢ２と頂部Ｙ１ａとの間に防水パッキンＣ１が取り付けられ、さらに、ナットＢ２と防水パッキンＣ１との間に防水パッキンＣ１を覆う山座Ｃが設けられている。
【００２６】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の接合部に限らず、他の頂部に支持金具Ｙ３を用いてボルト体Ｂを取り付けてもよい。
【００２７】
屋根上取付具Ａは、金属板または硬質樹脂板よりなり、折板屋根Ｙの頂部Ｙ１ａより上方に突出した重合部連結用のボルト体Ｂに挟着して、取り付け、固定する構造となっている。
【００２８】
具体的には、屋根上取付具Ａは、上板１１と、その両端から下方に延びた一対の脚片１２と、脚片１２のそれぞれの下端から、先端が相対向するように折曲形成された挟着片１３とが一体形成された略門形の挟着具１により構成され、両脚片１２を緊締して、両挟着片１３の先端を相互に近接させて、ボルト体Ｂに挟着させる構造となっている。この両脚片１２の緊締は、対向する両脚片１２に開設された軸孔１２ａに貫通された緊締用ボルト２５と、緊締用ナット２６との螺合によってなされる。また、上板１１の中央には剣先ボルト３等が立設されて、各種機器・部材類Ｄ（図４（ｄ）参照）を取り付け可能にしている。
【００２９】
挟着具１の２つの挟着片１３、１３のそれぞれの先端中央に、横断面が円筒を縦割りした略半円筒の形状をなし、相手と対向する側に噛合凹部１４ａを有した半筒片１４が起立形成されている。その噛合凹部１４ａには、ボルト体Ｂの雄ネジ部Ｂ１と螺合する雌ネジ部１４ｂが形成されている。また、それぞれの半筒片１４の外周胴部１４ｃには突部１４ｄが形成されている。なお、雌ネジ部１４ｂの代わりにボルト体Ｂの雄ネジ部Ｂ１に噛合できる突条等を設けてもよい。また、半筒片１４の横断面形状は、半円弧よりも円弧角度の小さなものでもよい。またさらに、噛合凹部１４ａは、ボルト体Ｂの雄ネジ部Ｂ１の形状に合致した湾曲形状でなくてもよく、ボルト体Ｂの雄ネジ部Ｂ１の外面に部分的に係着できるような形状であってもよい。
【００３０】
これら半筒片１４は、両噛合凹部１４ａ、１４ａでボルト体Ｂの雄ネジ部Ｂ１を挟持、噛合する構造であり、ボルト体Ｂへの挟持によってできた筒状体１５の外周胴部に、別体のリング体３０が嵌着されて、両半筒片１４、１４が側方に離れないようになっている。
【００３１】
リング体３０は上記筒状体１５を嵌め入れる開口３１を有しているとともに、その内周部には半筒片１４の突部１４ｄを嵌挿可能な突部嵌挿切欠き３１ａが形成されている。
【００３２】
リング体３０は、突部嵌挿切欠き３１ａを突部１４ｄに位置合わせして筒状体１５に嵌め入れ、最下端まで落とし込み、さらに回転させることで突部嵌挿切欠き３１ａと突部１４ｄとの位置がずれる。そのため、その後にリング体３０が上方へ抜け出るおそれはなくなる。
【００３３】
なお、図例（図３参照）では、それぞれの半筒片１４に突部１４ｄが形成されているが、一方のみに形成したものでもよい。
【００３４】
以上のように構成した本発明の屋根上取付具Ａは、以下の要領で折板屋根Ｙに取り付けて使用する。
【００３５】
まず、屋根上取付具Ａの両脚片１２、１２の軸孔１２ａの一方から緊締用ボルト２５の軸部２５ａを貫通したうえで、緊締用ボルト２５の先端側から緊締用ナット２６を軽く締めて仮止め状態にし、その屋根上取付具Ａを、折板屋根Ｙより突出したボルト体Ｂの上方から、半筒片１４、１４の噛合凹部１４ａ、１４ａ間にボルト体Ｂが嵌挿されるようにして、折板屋根Ｙの頂部Ｙ１ａの上面に載置する（図３（ａ）、（ｂ）参照）。
【００３６】
次に、仮止め状態にしていた緊締用ボルト２５および緊締用ナット２６をさらに締め付けると、この締め付け力によって両脚片１２、１２が近接して、両半筒片１４、１４が相互に近づき、噛合凹部１４ａがボルト体Ｂの雄ネジ部Ｂ１をその周囲を取り囲むように挟み込むとともに、半筒片１４の雌ネジ部１４ｂと、ボルト体Ｂの雄ネジ部Ｂ１とが相互に噛み合って、螺合関係を形成する（図３（ｂ）、図４（ｃ）参照）。
【００３７】
さらに、リング体３０を一対の半筒片１４、１４によってできた筒状体１５に嵌めこみ、突部嵌挿切欠き３１ａを突部１４ｄに位置合わせしてリング体３０を最下端（挟着片１３の上面）まで落としこみ、リング体３０を回転させて位置をずらすことで挟着具１の取り付けが完了する（図４（ｃ）、（ｄ）参照）。
【００３８】
こうして折板屋根Ｙに取り付けた屋根上取付具Ａの上板１１の上には、各種機器・部材類Ｄを取り付けることができる（図４（ｄ）参照）。
【００３９】
このように、リング体３０をボルト体Ｂを挟持した状態の半筒片１４に嵌着させて固定する構造となっているので、リング体３０の嵌着によって一対の挟着片１３、１３はボルト体Ｂより離間するおそれはない。また、この離間阻止作用と、脚片１２の緊締による挟着作用および半筒片１４の噛合凹部１４ａによる嵌着（係着）作用とがあいまって、挟着具１のボルト体Ｂへの挟着力を高めることができる。
【００４０】
さらに、半筒片１４の外周胴部１４ｃに突部１４ｄが形成されているので、リング体３０の内周部に形成した、突部１４ｄを嵌挿可能とした突部嵌挿切欠き３１ａを位置合わせし、リング体３０を筒状体１５に嵌め入れてから回転させて位置をずらすようにすれば、突部１４ｄによってリング体３０が上方へ抜け出すことを防止できる。
【００４１】
ついで、第２実施形態について説明する。
【００４２】
図５は、本発明に係る屋根上取付具の第２実施形態の説明図であり、屋根上取付具の波形屋根への取り付け前の状態を示した斜視図である。図６は、同屋根上取付具の波形屋根への取り付け後の状態を示した斜視図である。図７は、同屋根上取付具に使用される挟着具の分解斜視図である。図８（ａ）、（ｂ）および図９（ｃ）、（ｄ）は、屋根上取付具の施工手順を示す部分断面正面図および正面図である。
【００４３】
この屋根上取付具Ａが取り付けされる波形屋根としては、第１実施形態のものと同様、図例として示した折板屋根Ｙ（角波形屋根）や丸波形屋根が挙げられる。また、屋根の素材としては、金属や合成樹脂、セメント系等のものが適用できる。
【００４４】
また、屋根上取付具Ａの取付対象である折板屋根Ｙについても、第１実施形態で示した折板屋根Ｙと同一であり、その構造については、同一の符号を付して説明を省略する。
【００４５】
この屋根上取付具Ａは、一対の挟着部材１０を開閉自在に支点連結して挟着具１を構成し、挟着具１の作用点とされる相対向した一対の挟着片１３を相互近接させ固定して、折板屋根Ｙの頂部Ｙ１ａより突出したボルト体Ｂに挟着させる構造とした取付具であって、各挟着部材１０の挟着片１３の先端には、第１実施形態と同様に、ボルト体Ｂに挟着できる噛合凹部１４ａを有した半筒片１４が形成されている。
【００４６】
この挟着具１は、より具体的には第１実施形態と同様に、挟着片１３の先端には噛合凹部１４ａを有した半筒片１４が起立形成されており、ボルト体Ｂの雄ネジ部Ｂ１に挟着できる構造となっている。
【００４７】
挟着具１を構成する一対の挟着部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる挟着片１３と、半筒片１４とより構成されている。
【００４８】
挟着具１は、上記２つの挟着部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟着具締付ボルト２１を通し、締付ナット２２を螺合することで挟着片１３の先端同士を近接させる構造となっている。
【００４９】
ここで、挟着具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００５０】
以上の構造を要約すれば、２つの挟着部材１０は上板１１に形成された切り溝１１ｄで交差状に連結され、挟着具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両挟着片１３を相互近接させるような変形鋏構造となっている。
【００５１】
また、さらに具体的には、図７に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。
【００５２】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟着部材１０の上板１１の先端部１１ｂとの間の隙間がより小さくなって、ぐらつくおそれのない、より安定した形状とすることができる。
【００５３】
このような屋根上取付具Ａによれば、挟着具１が２つの挟着部材１０で構成され、それらが開閉自在に支点連結されているので、挟着具締付ボルト２１と締付ナット２２とが緩んだ状態にあるときは、２つの挟着部材１０も緩んだ状態にある。そのため、挟着片１３を閉状態に固定するためには、締付ナット２２を締め付けて上板１１同士を固定するだけでよく、施工性がよい。
【００５４】
以上のように構成した本発明の屋根上取付具Ａは、以下の要領で折板屋根Ｙに取り付けて使用する。
【００５５】
まず、屋根上取付具Ａを挟着具１を構成する両挟着部材１０、１０の挟着片１３、１３が十分に開いた状態にしておき、つまり挟着具締付ボルト２１、締付ナット２２の螺合を緩めて、２つの挟着部材１０を開閉自在に支点連結しておき、折板屋根Ｙに立設されたボルト体Ｂの上方から、両挟着片１３、１３の半筒片１４、１４間の間隙を通じてボルト体Ｂを嵌挿する（図８（ａ）、（ｂ）を参照）。
【００５６】
次に、仮止め状態にしていた挟着具締付ボルト２１および締付ナット２２を締め付けていくと、揺動自在に緩んだ状態で交差状に重合していた両上板１１が平板状に近づき、それと同時に両脚片１２の下端より延びた両挟着片１３も互いに近接し、これらの挟着片１３に設けた半筒片１４にボルト体Ｂが嵌合して、両挟着片１３がボルト体Ｂを挟持し、両上板１１の揺動が不能となるように固定されて一対の挟着部材１０は固定した状態となる（図８（ｂ）、図９（ｃ）参照）。
【００５７】
さらに、リング体３０を一対の半筒片１４、１４によってできた筒状体１５に嵌めこみ、突部嵌挿切欠き３１ａを突部１４ｄに位置合わせしてリング体３０を最下端（挟着片１３の上面）まで落としこみ、リング体３０を回転させて位置をずらすことで挟着具１の取り付けが完了する（図９（ｃ）、（ｄ）参照）。
【００５８】
こうして折板屋根Ｙに取り付けた屋根上取付具Ａの上板１１の上には、各種機器・部材類Ｄを取り付けることができる（図９（ｄ）参照）。
【００５９】
このように、リング体３０をボルト体Ｂを挟持した状態の筒状体１５に嵌着して固定する構造となっているので、リング体３０の嵌着によって一対の挟着片１３、１３がボルト体Ｂより離れていくおそれはない。また、脚片１２、１２の緊締による挟着作用および半筒片１４、１４の噛合凹部１４ａ、１４ａによる嵌着（係着）作用があいまって、挟着具１のボルト体Ｂへの挟着力を高めることができる。
【００６０】
さらに、半筒片１４の外周胴部１４ｃに突部１４ｄが形成されているので、リング体３０を筒状体１５に嵌め入れてから回転させて位置をずらすようにすれば、突部１４ｄによってリング体３０が上方へ抜け出すことを防止できる。
【００６１】
また、本実施形態の屋根上取付具Ａの挟着具１は、挟着片１３がそれぞれの下端に折曲形成された一対の挟着部材１０を開閉自在に連結して構成されているため、緊締によらず、省力かつ簡易な操作で挟着片１３をボルト体Ｂに挟着させることができる。
【００６２】
ついで、さらに他の実施形態について説明する。
【００６３】
図１０は本発明に係る屋根上取付具の第３実施形態の説明図であり、図１０（ａ）は同屋根上取付具に使用される挟着具の分解斜視図、図１０（ｂ）は同屋根上取付具の施工状態を示す正面図である。
【００６４】
この屋根上取付具Ａは、一対の挟着部材１０、１０を開閉自在に挟着具締付ボルト２１、締付ナット２２で連結して挟着具１を構成し、挟着具締付ボルト２１、締付ナット２２の螺進によって相対向した一対の挟着片１３、１３を相互近接させ固定して、折板屋根Ｙの頂部Ｙ１ａより突出したボルト体Ｂに挟着させる構造とした取付具であって、挟着具１の挟着片１３の先端には、ボルト体Ｂの雄ネジ部Ｂ１に螺合、挟着できる半筒片１４が起立形成されている。
【００６５】
挟着具１を構成する一対の挟着部材１０のそれぞれは、中央にボルト貫通孔１１ｅが開設された上板１１と、上板１１の基端より折曲して下方に延びる脚片１２と、脚片１２の下端から上板１１と略同一の方向に延びる挟着片１３とより構成されている。また挟着部材１０は、上板１１の端部から脚片１２の下端にいたるまで、中央位置に上方に盛り上がったリブ１６が形成されている。両上板１１は上下にほとんど隙間なく重合、嵌合できるように、上側の挟着部材１０のリブ１６幅が下側の挟着部材１０のリブ１６幅よりも大きくなっている。
【００６６】
両挟着片１３のそれぞれの先端部には、先端部の辺縁から上方に延びた半筒片１４が形成されている。これらの半筒片１４には、上下方向に沿って凹溝状の噛合凹部１４ａが形成されている。
【００６７】
この噛合凹部１４ａは、相手側の半筒片１４と対向する面に内周を半円形に湾曲させて形成されたもので、その噛合凹部１４ａには、ネジ山とネジ溝よりなる雌ネジ部１４ｂが形成されている。また、半筒片１４の外周胴部１４ｃには突部１４ｄが形成されている。
【００６８】
このような挟着部材１０を、挟着具締付ボルト２１、締付ナット２２の螺合により連結し、螺進させていくと、下側に配されている上板１１のリブ１６による突出部が、上側のリブ１６による凹部に嵌り込んで両挟着部材１０は固定され、それとともに挟着片１３の先端が近接し、両半筒片１４、１４が筒状体１５となってボルト体Ｂに隙間なく嵌合して挟着する。
【００６９】
さらに、筒状体１５はリング体３０の嵌着により分離されないように強固に固定され、またリング体３０自身は、半筒片１４の突部１４ｄにより筒状体１５から抜け出ないように嵌まりこむ。
【００７０】
このような構成の屋根上取付具Ａによっても、第１、第２実施形態で示した屋根上取付具と同様の効果が得られることはいうまでもない。
【００７１】
以上の実施形態では、挟着具１の脚片１２が折板屋根Ｙの頂部Ｙ１ａに接触しない（支持されない）例を示したが、例えば挟着片を脚片の下端より上昇傾斜するように形成して、脚片の下端を頂部に接触させるようにしてもよい。そのようにすれば、挟着具の一部が頂部に支持されるので屋根上取付具を安定保持できる。
【符号の説明】
【００７２】
Ａ      屋根上取付具
１      挟着具
１０      挟着部材
１１      上板
１２      脚片
１３      挟着片
１４      半筒片
１４ａ      噛合凹部
１４ｂ      雌ネジ部
１４ｃ      外周胴部
１４ｄ      突部
１５      筒状体
３０      リング体
３１      開口
３１ａ      突部嵌挿切欠き
２１      挟着具締付ボルト
２２      締付ナット
２３      ボルト止め
Ｂ      ボルト体
Ｂ１      雄ネジ部
Ｂ２      ナット
Ｙ      折板屋根（波形屋根）
Ｙ１      山部
Ｙ１ａ      頂部
【図１】
2011231521.tif 000003
【図２】
2011231521.tif 000004
【図３】
2011231521.tif 000005
【図４】
2011231521.tif 000006
【図５】
2011231521.tif 000007
【図６】
2011231521.tif 000008
【図７】
2011231521.tif 000009
【図８】
2011231521.tif 000010
【図９】
2011231521.tif 000011
【図１０】
2011231521.tif 000012
【図１１】
2011231521.tif 000013
【手続補正書】
【提出日】平成23年2月15日(2011.2.15)
【手続補正１】
【補正対象書類名】明細書
【補正対象項目名】０００８
【補正方法】変更
【補正の内容】
【０００８】
図１１は、挟着によって装着するようにした従来の屋根上取付具の波形屋根への取付例の２例を示す概略説明図であり、図１１（ａ）は波形屋根Ｙの側端縁の山部Ｙ１の頂部Ｙ１ａにおけるハゼ式接合構造により形成されたハゼ部Ｅの脚部への挟着例であり、図１１（ｂ）は重ね式接合構造におけるボルト体Ｂの軸部Ｂ１への挟着例である。いずれも、各屋根上取付具の上方に屋根上取付物（各種機器・部材類）の一つである遮熱シート１１０を固定して取り付けた例であり、２例とも、同種、同構造の屋根上取付具（挟着具１００）を使用している。なお、図１１（ａ）、（ｂ）に示した屋根上取付具の取付例は、頂部Ｙ１ａに対する取付態様（向き）が異なるものである。